(57)【要約】【課題】簡単な構成で、非常にコントラストが向上された高画質な画像を表示することが可能な表示システムおよび表示方法を提供することにある。【解決手段】表示システム２は、第１画像１２が形成された表示対象物１４と、第１画像１２の少なくとも一部の領域と略同一の階調状態を有する領域を含んだ第２画像１６を、表示対象物１４に向けて表示する画像表示部（プロジェクタ１８の投写表示部２６）と、第１画像１２および第２画像１６の、略同一の階調状態を有する領域同士を重ね合わせるための画像領域位置合わせ部（プロジェクタ１８の投写領域位置合わせ部２８）と、を備えている。【選択図】図１
2008026879.tif 000002
【特許請求の範囲】
【請求項１】
画像情報に基づく第１画像が形成された表示対象物と、
画像情報に基づいて生成され、前記第１画像の少なくとも一部の領域と略同一の階調状態を有する領域を含んだ第２画像を、前記表示対象物に向けて表示する画像表示部と、
前記第１画像および前記第２画像の、前記略同一の階調状態を有する領域同士を重ね合わせるための画像領域位置合わせ部と、
を備えたことを特徴とする表示システム。
【請求項２】
請求項１に記載の表示システムにおいて、
前記第１画像の前記領域、および前記第２画像の前記領域は、配色状態が略同一であることを特徴とする表示システム。
【請求項３】
請求項１または２に記載の表示システムにおいて、
前記表示対象物に前記第１画像を形成する画像形成部をさらに含むことを特徴とする表示システム。
【請求項４】
請求項１から３のいずれか一項に記載の表示システムにおいて、
前記第１画像および前記第２画像は、共通の基本画像情報に基づいて生成されていることを特徴とする表示システム。
【請求項５】
請求項４に記載の表示システムにおいて、
前記第２画像は、前記基本画像情報と、前記基本画像情報とは異なる画像情報とに基づいて生成されたことを特徴とする表示システム。
【請求項６】
請求項１から５のいずれか一項に記載の表示システムにおいて、
前記第２画像は、前記表示対象物の前記第１画像が形成された面に表示されることを特徴とする表示システム。
【請求項７】
請求項１から６のいずれか一項に記載の表示システムにおいて、
前記画像表示部は、前記第２画像を前記表示対象物に向けて投写することを特徴とする表示システム。
【請求項８】
画像情報に基づく第１画像が形成された表示対象物と、
画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示する画像表示部と、
を備えたことを特徴とする表示システム。
【請求項９】
請求項８に記載の表示システムにおいて、
前記第１画像の前記領域、および前記第２画像の前記領域は、配色状態が略同一であることを特徴とする表示システム。
【請求項１０】
請求項８または９に記載の表示システムにおいて、
前記表示対象物に前記第１画像を形成する画像形成部をさらに含むことを特徴とする表示システム。
【請求項１１】
請求項８から１０のいずれか一項に記載の表示システムにおいて、
前記第１画像および前記第２画像は、共通の基本画像情報に基づいて生成されていることを特徴とする表示システム。
【請求項１２】
請求項１１に記載の表示システムにおいて、
前記第２画像は、前記基本画像情報と、前記基本画像情報とは異なる画像情報とに基づいて生成されたことを特徴とする表示システム。
【請求項１３】
請求項８から１２のいずれか一項に記載の表示システムにおいて、
前記第２画像は、前記表示対象物の前記第１画像が形成された面に表示されることを特徴とする表示システム。
【請求項１４】
請求項８から１３のいずれか一項に記載の表示システムにおいて、
前記画像表示部は、前記第２画像を前記表示対象物に向けて投写することを特徴とする表示システム。
【請求項１５】
表示対象物と、
基本画像情報に基づく第１画像を、前記表示対象物に形成する画像形成部と、
前記基本画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示する画像表示部と、
を備えたことを特徴とする表示システム。
【請求項１６】
請求項１５に記載の表示システムにおいて、
前記第１画像の前記領域、および前記第２画像の前記領域は、配色状態が略同一であることを特徴とする表示システム。
【請求項１７】
請求項１５または１６に記載の表示システムにおいて、
前記第２画像は、前記基本画像情報と、前記基本画像情報とは異なる画像情報とに基づいて生成されたことを特徴とする表示システム。
【請求項１８】
請求項１５から１７のいずれか一項に記載の表示システムにおいて、
前記第２画像は、前記表示対象物の前記第１画像が形成された面に表示されることを特徴とする表示システム。
【請求項１９】
請求項１５から１８のいずれか一項に記載の表示システムにおいて、
前記画像表示部は、前記第２画像を前記表示対象物に向けて投写することを特徴とする表示システム。
【請求項２０】
表示対象物と、
前記表示対象物に、画像情報に基づいて第１画像を形成する画像形成部と、
画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示する画像表示部と、
を備えたことを特徴とする表示システム。
【請求項２１】
請求項２０に記載の表示システムにおいて、
前記第１画像の前記領域、および前記第２画像の前記領域は、配色状態が略同一であることを特徴とする表示システム。
【請求項２２】
請求項２０または２１に記載の表示システムにおいて、
前記第１画像および前記第２画像は、共通の基本画像情報に基づいて生成されていることを特徴とする表示システム。
【請求項２３】
請求項２２に記載の表示システムにおいて、
前記第２画像は、前記基本画像情報と、前記基本画像情報とは異なる画像情報とに基づいて生成されたことを特徴とする表示システム。
【請求項２４】
請求項２０から２３のいずれか一項に記載の表示システムにおいて、
前記第２画像は、前記表示対象物の前記第１画像が形成された面に表示されることを特徴とする表示システム。
【請求項２５】
請求項２０から２４のいずれか一項に記載の表示システムにおいて、
前記画像表示部は、前記第２画像を前記表示対象物に向けて投写することを特徴とする表示システム。
【請求項２６】
画像情報に基づく第１画像が形成された表示対象物に向けて、画像情報に基づいて生成されて前記第１画像の少なくとも一部の領域と略同一の階調状態を有する領域を含んだ第２画像を表示するステップと、
前記第１画像および前記第２画像の、前記略同一の階調状態を有する領域同士を重ね合わせるために位置合わせを行うステップと、
を備えたことを特徴とする表示方法。
【請求項２７】
画像情報に基づく第１画像が形成された表示対象物に向けて、画像情報に基づいて生成されて前記第１画像の少なくとも一部の領域と略同一の階調状態を有する領域を含んだ第２画像を、前記略同一の階調状態を有する領域同士が重なり合うように表示することを特徴とする表示方法。
【請求項２８】
基本画像情報に基づく第１画像を、表示対象物に形成するステップと、
前記基本画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示するステップと、
を備えたことを特徴とする表示方法。
【請求項２９】
表示対象物に、画像情報に基づいて第１画像を形成するステップと、
画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示するステップと、
を備えたことを特徴とする表示方法。
【発明の詳細な説明】
【技術分野】
【０００１】
本発明は、表示システムおよび表示方法に関するものである。
【背景技術】
【０００２】
近年、ＬＣＤ、ＥＬ、プラズマディスプレイ、ＣＲＴ、投写型表示装置（プロジェクタ）等の電子ディスプレイ装置における画質改善は目覚しく、特に解像度については人間の視覚特性にほぼ匹敵する性能を有する装置が実現されつつある。しかし、輝度ダイナミックレンジについてみると、その再現範囲は、暗室コントラスト比で数千対１程度の範囲にとどまり、明室環境下においては、数百対１程度である。
【０００３】
一方、人間の視覚に関しては、一度に知覚し得る輝度ダイナミックレンジの範囲は、コントラスト比で数千〜数万対１であり、また、輝度弁別能力（コントラスト分解能：輝度の濃淡を弁別できる能力）は、０．２［ｎｉｔ］（輝度：光を発する光源の単位面積あたりの光度を表し、光源に関する量。単位はｎｉｔ（ニット）＝ｃｄ／ｍ2）と言われており、これを階調数に換算すると、１２ｂｉｔ相当である。
【０００４】
このような視覚特性を経由して現在の電子ディスプレイ装置の表示画像を見ると、輝度ダイナミックレンジの狭さが目立ち、加えてシャドウ部やハイライト部の階調が不足しているため、表示画像のリアリティーや迫力に対して物足りなさを感じることになる。
【０００５】
これに対して、電子ディスプレイ装置の性能を維持しつつ、描画のリアリティーを追求する技術が種々開示されている。例えば、透視画の画像を検出し、透視画を照明する可視光を、その検出結果に応じて変調することにより、透視画の表示を強める技術が提案されている（例えば、特許文献１参照）。
【０００６】
また、物体の像をその物体に投影することにより、その物体の明部と暗部のコントラストを向上させる方法およびその装置が提案されている（例えば、特許文献２参照）。
【０００７】
【特許文献１】特開平３−２２６７１２号公報
【特許文献２】特表２００１−５２２５４４号公報
【発明の開示】
【発明が解決しようとする課題】
【０００８】
しかしながら、上記の２つの提案では、透視画の画像を検出したり、投影すべき画像を取得したりするために、ビデオカメラ等の撮像手段（画像検出器）が必須になってしまうため、表示を行う際に必要となる装置（システム）が、複雑、大型、高コストになりやすいという問題を有している。また、上記の２つの提案では、投影対象物（透視画や物体）と、これらに投影（照明）される画像（投影画像）との位置を合わせる必要が生じるが、投影画像は、投影対象物を撮像して得られた画像であるため、撮像レンズや撮像システム自体に起因する歪（例えば、収差）により、投影対象物と投影画像との間にずれが生じやすいという問題も有している。
【０００９】
本発明は、このような従来の問題点に着目してなされたもので、その目的は、簡単な構成で、非常にコントラストが向上された高画質な画像を表示することが可能な表示システムおよび表示方法を提供することにある。
【課題を解決するための手段】
【００１０】
本発明に係る表示システムは、画像情報に基づく第１画像が形成された表示対象物と、画像情報に基づいて生成され、前記第１画像の少なくとも一部の領域と略同一の階調状態を有する領域を含んだ第２画像を、前記表示対象物に向けて表示する画像表示部と、前記第１画像および前記第２画像の、前記略同一の階調状態を有する領域同士を重ね合わせるための画像領域位置合わせ部と、を備えたことを特徴とする。
【００１１】
この表示システムによれば、第１画像が形成された表示対象物に向けて、第１画像の少なくとも一部の領域と略同一の階調状態を有する領域を含んだ第２画像を表示する画像表示部と、略同一の階調状態を有する領域同士を重ね合わせるための画像領域位置合わせ部を備えているため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。
【００１２】
この表示システムにおいて、前記第１画像の前記領域、および前記第２画像の前記領域は、配色状態が略同一であることが望ましい。
【００１３】
この表示システムによれば、配色状態が略同一の領域同士が重なり合うことになるため、各領域の持つ色を互いに強調させ合うことが可能となる。この結果、第１画像のみを表示する場合、および第２画像のみを表示する場合に比べて、彩度の高い色を表すことが可能となり、広い色域による色再現が可能となる。
【００１４】
この表示システムにおいて、前記表示対象物に前記第１画像を形成する画像形成部をさらに含んでもよい。
【００１５】
この表示システムによれば、表示対象物に第１画像を形成する画像形成部をさらに含むため、第１画像が形成された表示対象物を迅速に入手することができる。
【００１６】
この表示システムにおいて、前記第１画像および前記第２画像は、共通の基本画像情報に基づいて生成されていることが望ましい。
【００１７】
この表示システムによれば、重ね合わせるべき２つの画像（第１画像および第２画像）が共通の画像情報（基本画像情報）に基づいて生成されているため、２つの画像が異なる画像情報に基づく場合に比べて、重ね合わせる際のずれを抑制することが可能となる。
【００１８】
この表示システムにおいて、前記第２画像は、前記基本画像情報と、前記基本画像情報とは異なる画像情報とに基づいて生成されていてもよい。
【００１９】
この表示システムによれば、第２画像が、基本画像情報に加えて、基本画像情報とは異なる画像情報に基づいて生成されるため、この第２画像を表示することにより、第１画像に含まれない画像を第１画像に付加することが可能となる。
【００２０】
この表示システムにおいて、前記第２画像は、前記表示対象物の前記第１画像が形成された面に表示されることが望ましい。
【００２１】
この表示システムによれば、第１画像の形成面に第２画像が表示される。つまり、第１画像と第２画像とに奥行きの差がないため、見る角度によって第１画像と第２画像とがずれて見えるのを抑制することができる。
【００２２】
この表示システムにおいて、前記画像表示部は、前記第２画像を前記表示対象物に向けて投写することが望ましい。
【００２３】
この表示システムによれば、画像表示部が、投写によって第２画像を表示する構成であるため、表示対象物とは離れた位置から第２画像を表示させることが可能となる。このため、見る者に画像表示部の存在を意識させずに済み、あたかも表示対象物自体がコントラスト比の高い画像を表示しているように見せることができる。
【００２４】
この表示システムにおいて、前記第２画像を、前記表示対象物へ向け画像を表示するのに発光表示装置を用いてもよい。
【００２５】
この表示システムにおいて、前記表示対象物は、反射型、透過型または半透過型シートであってもよい。
【００２６】
この表示システムにおいて、前記表示対象物はポジフィルムであってもよい。
【００２７】
本発明に係る表示システムは、画像情報に基づく第１画像が形成された表示対象物と、画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示する画像表示部と、を備えたことを特徴とする。
【００２８】
この表示システムによれば、第１画像が形成された表示対象物に向けて、第１画像の少なくとも一部の領域と略同一の階調状態を有する領域を含んだ第２画像を、略同一の階調状態を有する領域同士が重なり合うように表示する画像表示部を備えているため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。
【００２９】
この表示システムにおいて、前記第１画像の前記領域、および前記第２画像の前記領域は、配色状態が略同一であることが望ましい。
【００３０】
この表示システムにおいて、前記表示対象物に前記第１画像を形成する画像形成部をさらに含んでもよい。
【００３１】
この表示システムにおいて、前記第１画像および前記第２画像は、共通の基本画像情報に基づいて生成されていることが望ましい。
【００３２】
この表示システムにおいて、前記第２画像は、前記基本画像情報と、前記基本画像情報とは異なる画像情報とに基づいて生成されていてもよい。
【００３３】
この表示システムにおいて、前記第２画像は、前記表示対象物の前記第１画像が形成された面に表示されることが望ましい。
【００３４】
この表示システムにおいて、前記画像表示部は、前記第２画像を前記表示対象物に向けて投写することが望ましい。
【００３５】
この表示システムにおいて、前記第２画像を、前記表示対象物へ向け画像を表示するのに発光表示装置を用いてもよい。
【００３６】
この表示システムにおいて、前記表示対象物は、反射型、透過型または半透過型シートであってもよい。
【００３７】
この表示システムにおいて、前記表示対象物はポジフィルムであってもよい。
【００３８】
本発明に係る表示システムは、表示対象物と、基本画像情報に基づく第１画像を、前記表示対象物に形成する画像形成部と、前記基本画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示する画像表示部と、を備えたことを特徴とする。
【００３９】
この表示システムによれば、第１画像が形成された表示対象物に向けて、第１画像の少なくとも一部の領域と略同一の階調状態を有する領域を含んだ第２画像を、略同一の階調状態を有する領域同士が重なり合うように表示する画像表示部を備えているため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報（基本画像情報）に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。さらに、重ね合わせるべき２つの画像（第１画像および第２画像）が共通の画像情報（基本画像情報）に基づいて生成されているため、２つの画像が異なる画像情報に基づく場合に比べて、重ね合わせる際のずれを抑制することが可能となる。
【００４０】
この表示システムにおいて、前記第１画像の前記領域、および前記第２画像の前記領域は、配色状態が略同一であることが望ましい。
【００４１】
この表示システムにおいて、前記第２画像は、前記基本画像情報と、前記基本画像情報とは異なる画像情報とに基づいて生成されていてもよい。
【００４２】
この表示システムにおいて、前記第２画像は、前記表示対象物の前記第１画像が形成された面に表示されることが望ましい。
【００４３】
この表示システムにおいて、前記画像表示部は、前記第２画像を前記表示対象物に向けて投写することが望ましい。
【００４４】
この表示システムにおいて、前記第２画像を、前記表示対象物へ向け画像を表示するのに発光表示装置を用いてもよい。
【００４５】
この表示システムにおいて、前記表示対象物は、反射型、透過型または半透過型シートであってもよい。
【００４６】
この表示システムにおいて、前記表示対象物はポジフィルムであってもよい。
【００４７】
本発明に係る表示システムは、表示対象物と、前記表示対象物に、画像情報に基づいて第１画像を形成する画像形成部と、画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示する画像表示部と、を備えたことを特徴とする。
【００４８】
この表示システムによれば、第１画像が形成された表示対象物に向けて、第１画像の少なくとも一部の領域と略同一の階調状態を有する領域を含んだ第２画像を、略同一の階調状態を有する領域同士が重なり合うように表示する画像表示部を備えているため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。
【００４９】
この表示システムにおいて、前記第１画像の前記領域、および前記第２画像の前記領域は、配色状態が略同一であることが望ましい。
【００５０】
この表示システムにおいて、前記第１画像および前記第２画像は、共通の基本画像情報に基づいて生成されていることが望ましい。
【００５１】
この表示システムにおいて、前記第２画像は、前記基本画像情報と、前記基本画像情報とは異なる画像情報とに基づいて生成されていてもよい。
【００５２】
この表示システムにおいて、前記第２画像は、前記表示対象物の前記第１画像が形成された面に表示されることが望ましい。
【００５３】
この表示システムにおいて、前記画像表示部は、前記第２画像を前記表示対象物に向けて投写することが望ましい。
【００５４】
この表示システムにおいて、前記第２画像を、前記表示対象物へ向け画像を表示するのに発光表示装置を用いてもよい。
【００５５】
この表示システムにおいて、前記表示対象物は、反射型、透過型または半透過型シートであってもよい。
【００５６】
この表示システムにおいて、前記表示対象物はポジフィルムであってもよい。
【００５７】
本発明に係る表示方法は、画像情報に基づく第１画像が形成された表示対象物に向けて、画像情報に基づいて生成されて前記第１画像の少なくとも一部の領域と略同一の階調状態を有する領域を含んだ第２画像を表示するステップと、前記第１画像および前記第２画像の、前記略同一の階調状態を有する領域同士を重ね合わせるために位置合わせを行うステップと、を備えたことを特徴とする。
【００５８】
この表示方法によれば、第１画像が形成された表示対象物に向けて、第１画像の少なくとも一部の領域と略同一の階調状態を有する領域を含んだ第２画像を表示するステップと、略同一の階調状態を有する領域同士を重ね合わせるために位置合わせを行うステップとを備えているため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。
【００５９】
この表示方法において、前記第１画像の前記領域、および前記第２画像の前記領域は、配色状態が略同一であることが望ましい。
【００６０】
この表示方法において、前記表示対象物に前記第１画像を形成するステップをさらに含んでもよい。
【００６１】
この表示方法において、前記第１画像および前記第２画像は、共通の基本画像情報に基づいて生成されていることが望ましい。
【００６２】
この表示方法において、前記第２画像は、前記基本画像情報と、前記基本画像情報とは異なる画像情報とに基づいて生成されていてもよい。
【００６３】
この表示方法において、前記第２画像は、前記表示対象物の前記第１画像が形成された面に表示されることが望ましい。
【００６４】
この表示方法において、前記第２画像を表示するステップでは、前記第２画像を前記表示対象物に向けて投写することが望ましい。
【００６５】
この表示方法において、前記第２画像を、前記表示対象物へ向け画像を表示するのに発光表示装置を用いてもよい。
【００６６】
この表示方法において、前記表示対象物は、反射型、透過型または半透過型シートであってもよい。
【００６７】
この表示方法において、前記表示対象物は、ポジフィルムであってもよい。
【００６８】
本発明に係る表示方法は、画像情報に基づく第１画像が形成された表示対象物に向けて、画像情報に基づいて生成されて前記第１画像の少なくとも一部の領域と略同一の階調状態を有する領域を含んだ第２画像を、前記略同一の階調状態を有する領域同士が重なり合うように表示することを特徴とする。
【００６９】
この表示方法によれば、第１画像が形成された表示対象物に向けて、第１画像の少なくとも一部の領域と略同一の階調状態を有する領域を含んだ第２画像を、略同一の階調状態を有する領域同士が重なり合うように表示するため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。
【００７０】
この表示方法において、前記第１画像の前記領域、および前記第２画像の前記領域は、配色状態が略同一であることが望ましい。
【００７１】
この表示方法において、前記表示対象物に前記第１画像を形成するステップをさらに含んでもよい。
【００７２】
この表示方法において、前記第１画像および前記第２画像は、共通の基本画像情報に基づいて生成されていることが望ましい。
【００７３】
この表示方法において、前記第２画像は、前記基本画像情報と、前記基本画像情報とは異なる画像情報とに基づいて生成されていてもよい。
【００７４】
この表示方法において、前記第２画像は、前記表示対象物の前記第１画像が形成された面に表示されることが望ましい。
【００７５】
この表示方法において、前記第２画像を表示する際には、前記第２画像を前記表示対象物に向けて投写することが望ましい。
【００７６】
この表示方法において、前記第２画像を、前記表示対象物へ向け画像を表示するのに発光表示装置を用いてもよい。
【００７７】
この表示方法において、前記表示対象物は、反射型、透過型または半透過型シートであってもよい。
【００７８】
この表示方法において、前記表示対象物は、ポジフィルムであってもよい。
【００７９】
本発明に係る表示方法は、基本画像情報に基づく第１画像を、表示対象物に形成するステップと、前記基本画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示するステップと、を備えたことを特徴とする。
【００８０】
この表示方法によれば、第１画像が形成された表示対象物に向けて、第１画像の少なくとも一部の領域と略同一の階調状態を有する領域を含んだ第２画像を、略同一の階調状態を有する領域同士が重なり合うように表示するため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報（基本画像情報）に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。さらに、重ね合わせるべき２つの画像（第１画像および第２画像）が共通の画像情報（基本画像情報）に基づいて生成されているため、２つの画像が異なる画像情報に基づく場合に比べて、重ね合わせる際のずれを抑制することが可能となる。
【００８１】
この表示方法において、前記第１画像の前記領域、および前記第２画像の前記領域は、配色状態が略同一であることが望ましい。
【００８２】
この表示方法において、前記第２画像は、前記基本画像情報と、前記基本画像情報とは異なる画像情報とに基づいて生成されていてもよい。
【００８３】
この表示方法において、前記第２画像は、前記表示対象物の前記第１画像が形成された面に表示されることが望ましい。
【００８４】
この表示方法において、前記第２画像を表示するステップでは、前記第２画像を前記表示対象物に向けて投写することが望ましい。
【００８５】
この表示方法において、前記第２画像を、前記表示対象物へ向け画像を表示するのに発光表示装置を用いてもよい。
【００８６】
この表示方法において、前記表示対象物は、反射型、透過型または半透過型シートであってもよい。
【００８７】
この表示方法において、前記表示対象物は、ポジフィルムであってもよい。
【００８８】
本発明に係る表示方法は、表示対象物に、画像情報に基づいて第１画像を形成するステップと、画像情報に基づいて生成され、前記第１画像の少なくとも一部の領域と略同一の階調状態を有する領域を含んだ第２画像を、前記略同一の階調状態を有する領域同士が重なり合うように前記表示対象物に向けて表示するステップと、を備えたことを特徴とする。
【００８９】
この表示方法によれば、第１画像が形成された表示対象物に向けて、第１画像の少なくとも一部の領域と略同一の階調状態を有する領域を含んだ第２画像を、略同一の階調状態を有する領域同士が重なり合うように表示するため、各領域の明部と明部、暗部と暗部とが重なり合って、階調状態（明暗）を強調させ合うことが可能となる。この結果、第１画像のみを表示する場合、および第２画像のみを表示する場合に比べて、コントラスト比の高い画像を表示することが可能となる。また、第１画像および第２画像の双方が画像情報に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。
【００９０】
この表示方法において、前記第１画像の前記領域、および前記第２画像の前記領域は、配色状態が略同一であることが望ましい。
【００９１】
この表示方法において、前記第１画像および前記第２画像は、共通の基本画像情報に基づいて生成されていることが望ましい。
【００９２】
この表示方法において、前記第２画像は、前記基本画像情報と、前記基本画像情報とは異なる画像情報とに基づいて生成されていてもよい。
【００９３】
この表示方法において、前記第２画像は、前記表示対象物の前記第１画像が形成された面に表示されることが望ましい。
【００９４】
この表示方法において、前記第２画像を表示するステップでは、前記第２画像を前記表示対象物に向けて投写することが望ましい。
【００９５】
この表示方法において、前記第２画像を、前記表示対象物へ向け画像を表示するのに発光表示装置を用いてもよい。
【００９６】
この表示方法において、前記表示対象物は、反射型、透過型または半透過型シートであってもよい。
【００９７】
この表示方法において、前記表示対象物は、ポジフィルムであってもよい。
【発明を実施するための最良の形態】
【００９８】
以下、実施の形態について図面を参照して説明する。
【００９９】
（第１の実施の形態）
本実施の形態は、表示システムにプロジェクタを用いた例である。表示（投写）方法の理解を容易にするために、先に、プロジェクタを含めた表示システムを説明する。
【０１００】
図１は、第１の実施の形態に係る表示システムを示すブロック図である。図１に示すように、本実施の形態に係る表示システム２は、第１画像１２が形成される表示対象物１４と、第２画像１６を表示対象物１４の第１画像１２へ向け投写するプロジェクタ１８とを含んで構成されている。
【０１０１】
表示対象物１４は、例えば、インクジェット印刷装置等によって写真画像を印刷するための写真用紙であり、その表面には、基本画像情報（基本画像データ）３０を基に生成される第１画像１２が印刷（形成）されている。基本画像情報３０は、本実施の形態では、１眼レフタイプのデジタルスチルカメラで撮影された写真画像を表す画像情報であるが、これに限定されず、例えば、イメージスキャナで取り込んだフィルムや写真を基にした画像情報や、ＣＧ（Computer Graphics）のように人為的に創作された画像を表す画像情報であってもよい。なお、表示対象物１４は、第１画像１２が形成できるものであれば前記に限定されない。
【０１０２】
プロジェクタ１８は、プロジェクタ画像情報Ｉ／Ｆ（インターフェイス）２２と、プロジェクタ画像変換／画像処理部２４と、画像表示部としての投写表示部２６と、画像領域位置合わせ部としての投写領域位置合わせ部２８とを含んで構成されている。
【０１０３】
プロジェクタ画像情報Ｉ／Ｆ２２は、基本画像情報３０、即ち第１画像１２の基となった画像情報を入力する。
【０１０４】
プロジェクタ画像変換／画像処理部２４は、プロジェクタ画像情報Ｉ／Ｆ２２から入力された基本画像情報３０に対し、投写表示部２６の性能に合わせて、例えば、拡大・縮小、色変換、ガンマ補正、画像補正、色の変調処理、彩度強調、コントラスト強調処理および鏡像反転処理等の加工を施し、第２画像情報３２を生成する。
【０１０５】
投写表示部２６は、光源と、液晶パネル等の変調素子を有する表示素子と、投写光学系とを含んで構成されている（いずれも図示せず）。投写表示部２６は、プロジェクタ画像変換／画像処理部２４で生成される第２画像情報３２に基づいて、光源から射出された光を表示素子で変調して第２画像１６を生成する。そして、生成された第２画像１６を第１画像１２が形成される表示対象物１４へ向け投写光学系から拡大投写する。なお、変調素子は液晶パネルに限定されず、光源から射出された光の射出方向をマイクロミラー毎に制御して画像を形成する表示デバイスを用いることも可能である。さらには、投写表示部２６は、光源と、走査部と含んで構成されていてもよい（いずれも図示せず）。その場合には、走査部が、光源からの光を走査することによって、第２画像１６を生成し、第２画像１６を第１画像１２が形成される表示対象物１４へ向け投写する。
【０１０６】
第１画像１２と第２画像１６は、ともに共通の画像情報（基本画像情報３０）を基に生成されており、この２つの画像の階調状態（明暗の分布）および配色状態（色の分布）は、略同一となる。ただし、配色状態については、必ずしも略同一である必要はなく、一方の画像をモノクローム、他方の画像をカラー画像としてもよい。また、階調状態や配色状態が略同一である範囲は、必ずしも画像の全域である必要はなく、第１画像１２の少なくとも一部の領域と略同一の階調状態や配色状態を有する領域を第２画像１６が含んでいればよい（詳しくは後述する）。
【０１０７】
なお、本明細書において、「２つの画像（領域）の階調状態が略同一」とは、それぞれの画像（領域）内における相対的な明るさの分布がほぼ等しいことであり、２つの画像（領域）に、解像度の相違、鮮鋭度（シャープネス）の相違、含有するノイズの多少の相違、或いは、色の有無（カラー画像とモノクローム画像）の相違等があってもよい。また、「２つの画像（領域）の配色状態が略同一」とは、各画像（領域）において、使用されている色およびその分布がほぼ等しいことであり、位置関係が対応する部位同士が、同一色または同系色であることを言う。ここで、同系色とは、例えば、位置関係が対応する２つの部位の色をＨＳＶ色空間を用いて表した場合に、一方の色相の値（０°〜３６０°）が、他方の色相の値の±１０％以内、即ち±３６°以内にあること、と定めることができる。
【０１０８】
投写領域位置合わせ部２８は、第１画像１２に第２画像１６を重ね合わせた合成画像３４を表示するために、第１画像１２の位置に合うように第２画像１６の投写領域の位置合わせを行う。ここで、位置合わせとは、階調状態が略同一の２つの画像（第１画像１２および第２画像１６）をずれのないように重ね合わせることであり、第１画像１２のサイズに合わせて第２画像１６のサイズを調整することと、第１画像１２の位置に合わせて、第２画像１６の位置（投写方向）を調整することを含む。また、プロジェクタ１８が、第１画像１２（表示対象物１４）に対して正対せずに投写を行う場合には、第２画像１６に歪（台形歪）が生じてしまい、第１画像１２とずれのないように重ね合わせることができなくなるため、第２画像１６を歪のない本来の状態に補正することも、位置合わせに含まれる。なお、階調状態が略同一である範囲が画像全域ではなく、一部の領域である場合には、この領域同士が重なり合うように位置合わせを行う必要がある（詳しくは後述する）。
【０１０９】
プロジェクタ１８は、プロジェクタ画像情報Ｉ／Ｆ２２として、例えば、メモリカードスロットを保有しており、メモリカードに記憶された基本画像情報３０を読み込むことができる。プロジェクタ画像変換／画像処理部２４は、読み込んだ基本画像情報３０に対し、投写表示部２６の表示素子の画素数に合わせるための拡大縮小処理を施して第２画像情報３２を生成する。例えば、投写表示部２６が１０２４×７６８の画素数の表示素子を備え、基本画像情報３０が横２８００画素、縦２１００画素の画素数を有する場合には、基本画像情報３０を約２．７分の１に縮小して第２画像情報３２を生成する。また、プロジェクタ１８の光源や表示素子の特性に合わせて色を調整する必要があるため、プロジェクタ画像変換／画像処理部２４は、その特性を反映したＬＵＴ（カラーテーブル）（図示せず）を保持しており、このＬＵＴを用いた色の変換処理も行う。また、投写光学系の収差等に起因する第２画像１６の歪を補正するための補正処理や、画像自体の見栄えを良くするために彩度強調やコントラスト強調処理等を行う場合もある。なお、プロジェクタ画像情報Ｉ／Ｆ２２は、メモリカードスロットに限定されるわけではなく、ＵＳＢメモリ等のその他記憶デバイスまたは無線ＬＡＮ等の各種通信Ｉ／Ｆであってもよい。
【０１１０】
前述したように、プロジェクタ１８は、第１画像１２と第２画像１６との合成画像３４を表示するために、投写領域位置合わせ部２８によって第２画像１６の投写領域の位置合わせを行うことが可能になっている。投写領域の位置合わせ方法としては、例えば、特開２００２−４４５７１号公報に記載されているように、ユーザが投写領域の四隅の位置を、リモコン等に備わるポインティングデバイス等を用いて所望の位置に合わせることによって行うことができる。
なお、位置合わせは上記の方法に限定されない。例えば、第２画像１６のサイズを調整するためには、プロジェクタ１８と表示対象物１４との距離を調整したり、投写表示部２６に備わる光学的なズーム機構（図示せず）によって表示倍率を調整したり、プロジェクタ画像変換／画像処理部２４によって、表示素子に形成する画像サイズを調整したりすることができる。また、第２画像１６の位置を調整するためには、プロジェクタ１８を設置する位置を変更したり、プロジェクタ１８の底面に備わる伸縮可能な脚部（図示せず）を伸縮させて上下方向の調整を行ったり、投写表示部２６の出力側に備わる投写レンズの位置をシフトさせることによって上下左右の表示位置を調整するレンズシフト機構を用いたり、プロジェクタ画像変換／画像処理部２４によって、表示素子に形成する画像の位置を調整したりすることができる。さらに、プロジェクタ１８が、第１画像１２（表示対象物１４）に対して正対せずに投写を行う場合には、台形歪を補正するためにプロジェクタ画像変換／画像処理部２４に補正処理を行わせることができる。ユーザは、上記の方法を適宜組み合わせて、第１画像１２と第２画像１６の位置合わせを行うことが可能であり、この場合には、上述したズーム機構、プロジェクタ画像変換／画像処理部２４、脚部、レンズシフト機構等は、いずれも投写領域位置合わせ部２８として機能することになる。
【０１１１】
図２〜図５は、位置合わせの具体的事例を説明するための説明図である。各図において、（ａ）は、第１画像１２を示す図、（ｂ）は、第２画像１６を示す図、（ｃ）は、これらの合成画像３４を示す図である。なお、各図において、（ｂ）の第２画像１６は、サイズ調整が済んだ状態の大きさで示されている。
【０１１２】
図２（ａ）〜（ｃ）に示す事例のように、第１画像１２、および第２画像１６が、ともに基本画像情報３０に基づいて生成され、全域に渡って略同一の画像である場合、即ち、２つの画像１２，１６の階調状態が全域に渡って略同一である場合には、第１画像１２の全体と第２画像１６の全体が重なり合うように位置合わせを行う。
【０１１３】
また、図３（ａ）〜（ｃ）に示す事例では、第１画像１２は、基本画像情報３０に基づく画像であり、第２画像１６は、第１画像１２の一部の領域（領域１２ａ）を抽出した画像である。つまり、いずれの画像も、基本画像情報３０の少なくとも一部に基づいて生成されている。
図３（ａ）〜（ｃ）に示すように、第２画像１６が、第１画像１２の一部の領域１２ａと略同一である場合、即ち、第２画像１６の階調状態が、第１画像１２の領域１２ａの階調状態と略同一である場合には、第２画像１６と、第１画像１２の領域１２ａとが重なり合うように位置合わせを行う。
【０１１４】
また、図４（ａ）〜（ｃ）に示す事例では、第１画像１２は、基本画像情報３０に基づく画像であり、第２画像１６は、第１画像１２を複写した領域（領域１６ａ）を含む画像である。つまり、いずれの画像も、基本画像情報３０の少なくとも一部に基づいて生成されている。
図４（ａ）〜（ｃ）に示すように、第２画像１６の領域１６ａが、第１画像１２と略同一である場合、即ち、第２画像１６の領域１６ａの階調状態が、第１画像１２の階調状態と略同一である場合には、第１画像１２と、第２画像１６の領域１６ａとが重なり合うように位置合わせを行う。
【０１１５】
また、図５（ａ）〜（ｃ）に示す事例では、第１画像１２は、基本画像情報３０に基づく画像であり、第２画像１６は、黒色無地の背景上に、第１画像１２の一部の領域（りんごを表す領域１２ｂ）を複写した領域１６ｂを有する画像である。つまり、いずれの画像も、基本画像情報３０の少なくとも一部に基づいて生成されている。
図５（ａ）〜（ｃ）に示すように、第２画像１６が、第１画像１２の一部の領域（りんごを表す領域１２ｂ）と略同一の階調状態を有する領域（りんごを表す領域）１６ｂを含む場合には、第１画像１２の領域１２ｂと、第２画像１６の領域１６ｂとが重なり合うように位置合わせを行う。
【０１１６】
この位置合わせを行って、第１画像１２の暗い領域（画素）と第２画像１６の暗い領域（画素）とを重ね合わせることによって漆黒を表現でき、第１画像１２の明るい領域（画素）と第２画像１６の明るい領域（画素）とを重ね合わせることによって輝きを表現できる。つまり、第１画像１２の光反射率の低い領域（暗い領域）には、僅かな光しか照射されず、第１画像１２の光反射率の高い領域（明るい領域）ほど、多くの光が照射されることになるため、２つの画像１２，１６の階調状態（明暗）が互いに強調し合い、合成画像３４のコントラストが向上する。合成画像３４のコントラスト比は、夫々の画像１２，１６が持つコントラスト比同士を掛け算したものになる。このため、例えば、表示対象物１４の第１画像１２が２００：１のコントラスト比を有し、プロジェクタ１８の第２画像１６が１０００：１のコントラスト比を有している場合、合成画像３４は、暗室環境において２００×１０００＝２０００００：１のコントラスト比を持つことになり、非常にコントラストが向上された高画質な表示を実現することが可能となる。なお、合成画像３４の解像感は、第１画像１２および第２画像１６のうち、一方の画像（解像度が高いほうの画像）の解像度に左右されるため、他方の画像の解像度を低くするようにしてもよい。そのような構成により、解像度を低くした画像を生成する側のコストを低減することができる。
【０１１７】
本実施の形態では、明室環境においても高いコントラスト性能を発揮できる。これは、通常の表示装置では、表示装置のスクリーン面が黒を規定しており、明室環境下ではスクリーン面が明るくなることにより黒が非常に明るくなってしまう黒浮きという状態になってしまう。それに対して、本実施の形態では、黒は、表示対象物１４上に印刷されたインクの黒により表現することが可能であり、明室環境においても黒インクは、スクリーン面に比べると光を吸収する割合が高く、締まった黒を表現することが可能である。
【０１１８】
また、印刷の白は反射による白であり、発光物が光った感じを表現するのが非常に難しい。これは、人間はその環境の照明の強さと反射物の反射率を知覚しており、その環境の照明下における紙の反射率を超える輝度がなければ発光物として認識しないためである。しかし、本実施の形態では、発光を表現する領域に多くの光をあてることができるため、その照明下における紙の反射率を超える輝度を発生させることができ、発光物を表現することが可能となる。つまり、漆黒と輝きの両方の表現が可能となるのである。
【０１１９】
なお、表示システム２を構成するハードウェア構成は、この例に限定されるものではなく、例えば、プロジェクタ画像変換／画像処理部２４が行う処理を全てＰＣ（パーソナルコンピュータ）で行うようにしてもよい。
【０１２０】
本実施の形態に係る表示システム２は上述のように構成されており、以下にその表示方法について説明する。
【０１２１】
図６は、第１の実施の形態に係る表示方法を示すフローチャートである。まず、図６に示すように、第１画像１２が形成されてなる表示対象物１４を準備する（ステップＳ１００）。
【０１２２】
次に、基本画像情報３０をプロジェクタ１８のプロジェクタ画像情報Ｉ／Ｆ２２を通して読み込む（ステップＳ１１０）。
【０１２３】
次に、基本画像情報３０に対して、投写表示部２６の性能に合わせた拡大・縮小、色変換、ガンマ補正および画像補正等をプロジェクタ画像変換／画像処理部２４で行い、第２画像情報３２を生成する（ステップＳ１２０）。
【０１２４】
次に、プロジェクタ１８の投写表示部２６において、第２画像情報３２を基に生成される第２画像１６を表示対象物１４の第１画像１２へ向け投写し、表示対象物１４に第２画像１６を表示する（ステップＳ１３０）。
【０１２５】
次に、プロジェクタ１８の投写領域位置合わせ部２８において、第２画像１６が第１画像１２と重なり合うように第２画像１６の投写領域の位置合わせを行う（ステップＳ１４０）。この位置合わせにより、第１画像１２の暗い領域（画素）と第２画像１６の暗い領域（画素）とが重なり合って漆黒が表現され、第１画像１２の明るい領域（画素）と第２画像１６の明るい領域（画素）とが重なり合って輝きが表現される。つまり、夫々の画像が持つ階調状態が強調される。
【０１２６】
次に、第１画像１２および第２画像１６の構成を説明する。
【０１２７】
図７は、第１の実施の形態に係る第１画像および第２画像の構成を示す図である。図７に示すように、本実施の形態では、第２画像１６は、表示対象物１４の第１画像１２が形成された面３６と同一の面３８に表示される。この場合は、上記説明と同様に表示対象物１４に形成された第１画像１２に第２画像１６が合成された非常にハイコントラストな合成画像３４を視点４０から見ることが可能となる。
【０１２８】
本実施の形態では、表示対象物１４として、写真用紙、即ち反射型（拡散型）の表示対象物１４を用いているため、合成画像３４を視点４０から見ることになるが、拡散性を有する半透過型の表示対象物１４を使用したり、透過型の表示対象物１４を図示しない拡散板とともに使用したりすれば、合成画像３４を視点４２から見ることも可能となる。視点４０から見る画像と視点４２から見る画像とでは、左右が反転して見えるため、透過型或いは半透過型の表示対象物１４を用いる際には、プロジェクタ画像変換／画像処理部２４は、反射型の表示対象物１４を用いる場合に生成する画像を鏡像反転させる処理も行う必要がある。
【０１２９】
次に、合成画像３４のコントラストの向上について説明する。
【０１３０】
図８〜図１１は、第１の実施の形態に係る第１画像、第２画像、およびこれらの合成画像を例示した図である。図８〜図１１では、表示対象物１４に形成される第１画像１２と、表示対象物１４の第１画像１２へ向け表示される第２画像１６と、第１画像１２が形成されてなる表示対象物１４の面３６の第１画像１２と第２画像１６との合成画像３４とを示している。
【０１３１】
図８に示す例では、第１画像１２は、カラー画像（図はモノクロームで表示、以下同様）であり、インクジェット印刷装置で印刷された、コントラスト比が２００：１の画像（図は濃淡の差で表示、以下同様）である。また、第２画像１６は、同じくカラー画像であり、プロジェクタ１８から投写された、コントラスト比が１０００：１の画像である。この第１および第２画像１２，１６が合成されると、合成画像３４（カラー）のコントラスト比は、２００×１０００＝２０００００：１となる。
【０１３２】
図９に示す例では、第１画像１２は、モノクローム画像であり、インクジェット印刷装置で印刷された、コントラスト比が２００：１の画像である。また第２画像１６は、カラー画像であり、プロジェクタ１８から投写された、コントラスト比が１０００：１の画像である。この第１および第２画像１２，１６が合成されると、合成画像３４は、カラー画像となり、そのコントラスト比は、２００×１０００＝２０００００：１となる。このように、本実施の形態では、一方の画像がモノクロームである場合には、色の付加とコントラストの向上の両方を実現可能である。
【０１３３】
図１０に示す例では、第１画像１２は、モノクローム画像であり、インクジェット印刷装置で印刷された、コントラスト比が２００：１の画像である。また、第２画像１６は、カラー画像であり、基本画像情報３０の一部の情報（画像の下部を表す情報）を基に、プロジェクタ１８によって生成されて投写された、コントラスト比が１０００：１の画像である。この第１および第２画像１２，１６が合成されると、合成画像３４は、モノクローム画像（上部）とカラー画像（下部）とを含み、そのコントラスト比は、一部（下部）のみ２００×１０００＝２０００００：１となる。このように、本実施の形態では、画像の一部だけを非常に高画質（ハイコントラスト）で表示することも可能であり、例えば、広告表示において商品だけを非常に高画質に表示することによって、周りの画像との対比でより商品を強調し、広告効果を上げることが可能である。
【０１３４】
図１１に示す例では、第１画像１２は、カラー画像であり、インクジェット印刷装置で基本画像情報３０の一部の情報（画像の下部を表す情報）を用いて印刷された、コントラスト比が２００：１の画像である。また、第２画像１６は、カラー画像であり、プロジェクタ１８から投写された、コントラスト比が１０００：１の画像である。この第１および第２画像１２，１６が合成されると、合成画像３４（カラー）のコントラスト比は、一部（下部）のみ２００×１０００＝２０００００：１となる。このように、本実施の形態では、画像の一部だけを非常に高画質（ハイコントラスト）で表示することも可能であり、例えば、広告表示において商品だけを非常に高画質に表示することによって、周りの画像との対比でより商品を強調し、広告効果を上げることが可能である。また、この例では、第１画像１２の上部に、第２画像１６によって背景が追加されることになるため、合成による変化を大きくすることが可能となり、目を引く表示が可能となる。
【０１３５】
つまり、図８〜図１１に示した例は、第１画像１２と第２画像１６との合成画像３４のコントラストが、第１および第２画像１２，１６のそれぞれのコントラストより向上していることを示している。
【０１３６】
また、本実施の形態では、印刷によって形成された第１画像１２、即ち減法混色で表現された第１画像１２と、プロジェクタ１８から投写された第２画像１６、即ち加法混色で表現された第２画像１６とを合成させている。加法混色で色を表現する場合、特に本実施の形態のように液晶プロジェクタを用いる場合等には、明度的に明るい部分の色域が広い一方で、明度的に暗い部分では、光漏れ等の影響により色域が狭くなってしまう。これに対して、減法混色で色を表現する場合には、明度的に暗い部分での色域が広い一方で、明度的に明るい部分での色域が狭い。このため、これらを合成させることにより、それぞれの色域を補完させ合うことができ、より広い色域による色再現が可能となる。
【０１３７】
ここで、合成画像３４の色域の拡張について、図１２〜図１６を用いて説明する。
図１２は、紙の分光反射率を示すグラフであり、図中の曲線Ｐｗは、白色紙の分光反射率、曲線Ｐｇは、白色紙上に緑色の印刷が施された部位（以降、緑色部と呼ぶ。）の分光反射率、曲線Ｐｂは、白色紙上に青色の印刷が施された部位（以降、青色部と呼ぶ。）の分光反射率、曲線Ｐｒは、白色紙上に赤色の印刷が施された部位（以降、赤色部と呼ぶ。）の分光反射率を示している。
【０１３８】
図１３〜１５は、プロジェクタ１８から投写される投写光の分光特性を示すグラフであり、図１３中の曲線Ｇｏは、プロジェクタ１８から投写された緑色光の分光波形、曲線Ｇｗは、この緑色光が白色紙に反射した場合の分光波形、曲線Ｇｇは、緑色光が緑色部に反射した場合の分光波形を示している。また、図１４中の曲線Ｂｏは、プロジェクタ１８から投写された青色光の分光波形、曲線Ｂｗは、この青色光が白色紙に反射した場合の分光波形、曲線Ｂｂは、青色光が青色部に反射した場合の分光波形を示している。また、図１５中の曲線Ｒｏは、プロジェクタ１８から投写された赤色光の分光波形、曲線Ｒｗは、この赤色光が白色紙に反射した場合の分光波形、曲線Ｒｒは、赤色光が赤色部に反射した場合の分光波形を示している。なお、いずれの曲線も実験データに基づいて描かれている。
【０１３９】
図１３に示すように、プロジェクタ１８から投写された緑色光（曲線Ｇｏ）が、可視光領域内で略平坦な反射率（図１２の曲線Ｐｗ参照）を示す白色紙で反射されると、その反射光は、曲線Ｇｗで示すように、曲線Ｇｏで示す投写光（緑色光）と略同一の分光特性を有する。一方、プロジェクタ１８から投写された緑色光（曲線Ｇｏ）が、特定の波長域の光（緑色光）に対してのみ高い反射率（図１２の曲線Ｐｇ参照）を示す緑色部で反射されると、その反射光は、曲線Ｇｇに示すような分光特性を有し、曲線Ｇｏ，Ｇｗに比べて、含有する光の波長域が狭まって、彩度の高い緑色光となる。同様に、他の色光（赤色光、青色光）についても、略同一色の印刷が施された部位に反射させることによって彩度を高めることができる（図１４、図１５参照）。
【０１４０】
図１６は、色域を説明するためのｘｙ色度図であり、図中の曲線Ｍは、最も彩度が高い単色光の軌跡であり、領域Ａｗは、プロジェクタ１８からの投写光を白色紙に反射させた場合の色域、領域Ａｐは、プロジェクタ１８からの投写光を、略同一色の印刷が施された部位に反射させた場合の色域である。
図１６に示すように、プロジェクタ１８からの投写光を、略同一色の印刷が施された部位に反射させた場合、即ち、第１画像１２および第２画像１６の配色状態が略同一であり、これらが位置合わせされた場合には、投写光を白色紙に反射させる場合に比べて、各色の彩度が高まって、色域を広くすることが可能となる。
【０１４１】
以上説明したように、本実施の形態の表示システム２によれば、以下の効果を得ることができる。
（１）本実施の形態によれば、プロジェクタ１８が、第１画像１２が形成された表示対象物１４に向けて、第１画像１２の少なくとも一部の領域と略同一の階調状態を有する領域を含んだ第２画像１６を投写するとともに、略同一の階調状態を有する領域同士を重ね合わせるための投写領域位置合わせ部２８を備えているため、各領域の明部と明部、暗部と暗部とが重なり合って、階調状態（明暗）を強調させ合うことが可能となる。この結果、第１画像１２のみを表示する場合、および第２画像１６のみを表示する場合に比べて、コントラスト比の高い合成画像３４を表示することが可能となり、例えば、暗室でのコントラスト比を数十万対１、明室でのコントラスト比でも数千対１に向上することもできる。また、この表示システム２によれば、ビデオカメラ等の撮像手段を備える必要がないため、非常に簡単な構成でコントラストの向上を実現することが可能となる。
【０１４２】
（２）本実施の形態によれば、第１画像１２および第２画像１６の双方が画像情報に基づく画像であるため、それぞれの画像の形成や表示を行う過程で生じ得る歪を、画像情報を加工することによって容易に補正することが可能となる。つまり、２つの画像を重ね合わせる際のずれを抑制することが容易になる。
【０１４３】
（３）本実施の形態によれば、配色状態が略同一の領域同士を重ね合わせることにより、各領域の持つ色を互いに強調させ合うことが可能となる。この結果、第１画像１２のみを表示する場合、および第２画像１６のみを表示する場合に比べて、彩度の高い色を表すことが可能となり、広い色域による色再現が可能となる。また、本実施の形態によれば、第１画像１２が印刷（減法混色）により形成され、第２画像１６がプロジェクタ１８からの投写（加法混色）によって形成されているため、これらを合成させることにより、それぞれの色域を補完させ合うことができ、より広い色域による色再現が可能となる。
【０１４４】
（４）本実施の形態によれば、重ね合わせるべき２つの画像（第１画像１２および第２画像１６）が共通の画像情報（基本画像情報３０）に基づいて生成されているため、２つの画像が異なる画像情報に基づく場合に比べて、重ね合わせる際のずれを抑制することが可能となる。例えば、第２画像１６が、第１画像１２を撮像して得られる画像情報に基づいて形成される場合には、その画像情報は、撮像システム等に起因する歪（例えば、収差）の影響を受けることになるため、画像情報を生成する段階、即ち第２画像１６を形成する以前に、第１画像１２と第２画像１６との間にずれが潜在することになる。一方、２つの画像が共通の画像情報に基づいている場合には、画像を形成する前の段階ではずれがないため、２つの画像を重ね合わせる際のずれを抑制することができる。
【０１４５】
（５）本実施の形態によれば、第２画像１６は、表示対象物１４の第１画像１２が形成された面３６に表示される。つまり、第１画像１２と第２画像１６とに奥行きの差がないため、見る角度によって第１画像１２と第２画像１６とがずれて見えるのを抑制することができる。
【０１４６】
（６）本実施の形態によれば、プロジェクタ１８からの投写によって第２画像１６を表示する構成であるため、表示対象物１４とは離れた位置から第２画像１６を表示させることが可能となる。このため、第２画像１６を表示するための手段（プロジェクタ１８）の存在を見る者に意識させずに済み、あたかも表示対象物１４自体がコントラスト比の高い画像を表示しているように見せることができる。また、プロジェクタ１８は、表示対象物１４との距離を変えたり、ズーム機構等を用いたりすることによって投写領域のサイズを変更することができるため、様々な大きさの第１画像１２に対して、第２画像１６の大きさを合わせることが容易である。
【０１４７】
（７）本実施の形態において、第１画像１２と第２画像１６の階調状態が略同一の範囲を一部の領域に限定すれば、当該領域のみをハイコントラストにして際立たせることができる。このため、例えば、広告表示において商品だけを非常に高画質に表示することによって、周りの画像との対比でより商品を強調し、広告効果を上げることが可能である。
【０１４８】
（８）本実施の形態において、第１画像１２をモノクローム画像、第２画像１６をカラー画像とし、合成（第２画像１６の表示）の有無を切り替えるようにすれば、モノクローム画像の表示と、ハイコントラストなカラー画像の表示とを切り替えることが可能となり、画像の表示に大きな変化を与えることができる。また、モノクローム画像の一部の領域のみに色を付加することも可能である。
【０１４９】
（９）本実施の形態によれば、第１画像１２をプリンタもしくはオフセット印刷等の印刷装置により生成することが可能であるため、第２画像１６との合成が無い場合でも一定の画質で表示することが可能であり、さらに、第２画像１６を、第１画像１２の位置に合わせて表示することにより非常に高画質な表示が可能となる。
【０１５０】
（第２の実施の形態）
図１７は、第２の実施の形態に係る表示システムを示すブロック図である。本実施の形態に係る表示システム４は、図１７に示すように、基本画像情報３０を基に生成される第１画像１２を表示対象物１４に印刷する印刷装置４４を含んで構成されている。
【０１５１】
印刷装置４４は、プリンタ画像情報Ｉ／Ｆ４６と、プリンタ画像変換／画像処理部４８と、印刷部５０とを含んで構成されている。印刷装置４４は、基本画像情報３０を基に第１画像情報２０を生成し、第１画像情報２０を基に生成される第１画像１２を表示対象物１４に印刷（形成）する。
【０１５２】
プリンタ画像情報Ｉ／Ｆ４６は、印刷すべき基となる画像情報として、第２画像１６の基ともなる基本画像情報３０を入力する。
【０１５３】
プリンタ画像変換／画像処理部４８は、入力された基本画像情報３０に対し、印刷部５０の性能に合わせて、拡大・縮小、色変換、ガンマ補正、画像補正、面積階調処理、色の変換処理、彩度強調、コントラスト強調処理および鏡像反転処理等の加工を施し、第１画像情報２０を生成する。
【０１５４】
印刷部５０は、画像形成部に相当するものであり、第１画像情報２０を基に生成される第１画像１２を表示対象物１４に印刷（形成）する。
【０１５５】
本実施の形態に係る印刷装置４４は、例えば、スタンドアロン（ネットワーク接続されていない）型インクジェットプリンタであり、プリンタ画像情報Ｉ／Ｆ４６としてメモリカードスロットを有している。プリンタ画像情報Ｉ／Ｆ４６がメモリカードに記憶された基本画像情報３０を読み込むと、プリンタ画像変換／画像処理部４８は、基本画像情報３０に拡大縮小処理を施して、形成すべき第１画像１２の大きさと、基本画像情報３０の画素数と、印刷部５０の解像度とによって決まる画素数を有する第１画像情報２０を生成する。例えば、形成すべき第１画像１２の大きさが２８０ｍｍ×２１０ｍｍであり、基本画像情報３０が横２８００画素、縦２１００画素の画素数を持ち、印刷部５０が７２０ｄｐｉの解像度を持つ場合には、生成すべき第１画像情報２０の画素数は、横７９３７画素、縦５９５２画素となり、基本画像情報３０を約２．８倍に拡大する必要がある。
【０１５６】
また、インクジェット印刷装置は、ドットを「打つ／打たない」の二値表示であることから、その二値でフルカラー画像を表現するために、プリンタ画像変換／画像処理部４８は、ハーフトーンという面積階調処理を行って、基本画像情報３０を二値化情報に変換する。さらに、例えば、シアン（Ｃ）、マゼンタ（Ｍ）、イエロー（Ｙ）、ブラック（Ｋ）、ライトシアン（Ｌｃ）、ライトマゼンタ（Ｌｍ）の６色インクのインクジェットプリンタでは、一画素当たりＲ、Ｇ、Ｂ各色８ビット＝計２４ビットの基本画像情報３０からＣ、Ｍ、Ｙ、Ｋ、Ｌｃ、Ｌｍ各色１ビット＝計６ビットの情報に変換する。つまり、プリンタ画像変換／画像処理部４８は、二値化と同時にＲＧＢからＣＭＹＫＬｃＬｍへの変換を行う。その場合に、インクや紙の特性に合わせて色を調整する必要があるため、プリンタ画像変換／画像処理部４８は、その特性を反映したＬＵＴ（カラーテーブル）（図示せず）を保持しており、このＬＵＴを用いた色の変換処理も行う。また、プロジェクタ１８の投写光学系の収差等に起因する第２画像１６の歪に合わせて第１画像１２を補正するための補正処理や、画像自体の見栄えを良くするために、彩度強調やコントラスト強調処理等を行う場合もある。
【０１５７】
なお、印刷装置４４は、インクジェットプリンタに限定されず、昇華型プリンタ等のサーマルプリンタや、レーザープリンタ等、他の形式のプリンタを用いることもできる。また、プリンタ画像情報Ｉ／Ｆ４６は、メモリカードスロットに限定されるわけではなく、ＵＳＢメモリ等のその他記憶デバイス、または無線ＬＡＮ等の各種通信Ｉ／Ｆであってもよい。
【０１５８】
また、表示システム４を構成するハードウェア構成は、この例に限定されるわけではなく、プリンタ画像変換／画像処理部４８が行う処理を全てＰＣで行うようにしてもよい。その他の構成については、第１の実施の形態で説明した内容を適用することができる。
【０１５９】
本実施の形態に係る表示システム４は、上述のように構成されており、以下にその表示方法について説明する。
【０１６０】
図１８は、第２の実施の形態に係る表示方法を示すフローチャートである。図１８に示すように、印刷装置４４は、基本画像情報３０をプリンタ画像情報Ｉ／Ｆ４６を通して読み込む（ステップＳ２００）。
【０１６１】
次に、基本画像情報３０に対して、印刷部５０の性能に合わせた拡大・縮小、色変換、ガンマ補正および画像補正等をプリンタ画像変換／画像処理部４８で行って、第１画像情報２０を生成する（ステップＳ２１０）。
【０１６２】
次に、印刷装置４４の印刷部５０において、第１画像情報２０を基に生成される第１画像１２を表示対象物１４に印刷する（ステップＳ２２０）。
【０１６３】
なお、印刷対象である表示対象物１４が、透過型または半透過型である場合には、プリンタ画像変換／画像処理部４８おいて、鏡像反転処理を行うようにしてもよい。
【０１６４】
以上の処理により、表示対象物１４に第１画像１２が形成される。なお、第１画像１２が形成された表示対象物１４に対して第２画像１６を投写する際には、第１の実施の形態で説明した内容を適用することができる。
【０１６５】
以上説明したように、本実施の形態では、表示対象物１４に第１画像１２を形成する印刷装置４４を備えているため、第１画像１２が形成された表示対象物１４を迅速に入手することができる。このため、例えば、基本画像情報３０の変更（置き換え）や修正等がある場合にも、ハイコントラストな合成画像３４を即座に確認することが可能となる。
【０１６６】
（第３の実施の形態）
図１９は、第３の実施の形態に係る表示システムを示すブロック図である。本実施の形態に係る表示システム６では、図１９に示すように、プロジェクタ１８は、第１画像１２の基となる基本画像情報３０と、基本画像情報３０とは異なる他の画像情報（第３画像情報５２）とを基に第２画像情報３２を生成し、この第２画像情報３２を基に第２画像１６を生成して、表示対象物１４へ向け投写する。
【０１６７】
第３画像情報５２は、１眼レフタイプのデジタルスチルカメラで撮影された写真画像を表す画像情報であってもよいし、イメージスキャナで取り込んだフィルムや写真を基にした画像情報や、ＣＧのように人為的に創作された画像を表す画像情報であってもよい。さらにビデオカメラ等で撮影された動画、或いはＣＧからなる動画を表す画像情報であってもよい。その他の構成および表示方法については、第２の実施の形態で説明した内容を適用することができる。
【０１６８】
以上説明したように、本実施の形態では、第２画像１６が、基本画像情報３０と、基本画像情報３０とは異なる他の画像情報（第３画像情報５２）とを基に生成されているため、第２画像１６は、第１画像１２には含まれない画像を含むことになる。このため、この第２画像１６を表示（合成）することにより、第１画像１２に含まれない画像を第１画像１２に付加することが可能となる。また、第２画像１６の表示（合成）の有無を切り替えることにより、画像の表示に大きな変化を与えることも可能となる。
【０１６９】
（第４の実施の形態）
図２０は、第４の実施の形態に係る表示システムを示す図である。本実施の形態に係る表示システム８は、図２０に示すように、表示対象物１４と、第２画像６０を表示対象物１４の第１画像１２へ向け表示する発光表示装置５４とを含んで構成されている。
【０１７０】
本実施の形態の表示対象物１４は、透光性を有した材料で構成されている。具体的には、バックライトフィルムのような半透過型の表示対象物、もしくはＯＨＰ（OverHead Projector）シートやポジフィルム等のような透過型の表示対象物を用いることができる。表示対象物１４がバックライトフィルムやＯＨＰシートの場合には、インクジェット印刷装置等を用いることにより、その表面に第１画像１２を形成することができる。また、ポジフィルムの場合には、フィルムレコーダ等のデジタル情報をフィルムに焼き付けることができる機器を使用すればよい。
【０１７１】
発光表示装置５４は、ＬＣＤ（Liquid Crystal Display）やＰＤＰ（Plasma Display Panel）、ＳＥＤ（Surface-conduction Electron-emitter Display）、有機ＥＬ（Electro Luminescence）ディスプレイ等の発光型ディスプレイ装置であり、画像表示部に相当する。発光表示装置５４は、その表示面６２に第２画像６０を表示する。
【０１７２】
ここで、発光表示装置５４の表示面６２の前面に表示対象物１４を設置し、第１画像１２と第２画像６０とが重なり合うように位置合わせを行った状態で、表示対象物１４を発光表示装置５４に固定すると、非常にハイコントラストな合成画像３４を視点５８から見ることが可能となる。その他の構成および表示方法については、第２の実施の形態で説明した内容を適用することができる。なお、本実施の形態では、発光表示装置５４に表示対象物１４を固定するための図示しない固定部材が画像領域位置合わせ部に相当する。固定部材としては、発光表示装置５４に表示対象物１４を貼り付けるための粘着部材や、表示対象物１４を支持して発光表示装置５４に対する相対位置を決定するための支持部材等を用いることが可能である。
【０１７３】
以上説明したように、本実施の形態では、第１画像１２が形成された透光性を有する表示対象物１４を通して発光表示装置５４が表示する第２画像６０を見ることにより、第１画像１２と第２画像６０とが重なり合ったコントラスト比の高い画像を見ることができる。発光表示装置５４は、その表示領域の位置、形状、サイズが固定であるため、表示領域に合わせた第１画像１２を表示対象物１４に形成すれば、第１画像１２と第２画像６０との位置合わせを容易に行うことが可能となる。
【０１７４】
（第５の実施の形態）
図２１は、第５の実施の形態に係る表示システムを示す図である。本実施の形態に係る表示システム１０は、図２１に示すように、透光性を有する表示対象物１４と、プロジェクタ１８と、透明／半透明部材（透過型スクリーン）６６と、透光性を有する板（透明板５６）とを含んでいる。
【０１７５】
表示対象物１４と、透明／半透明部材６６とは、透明板５６を挟んで密着している構成であり、表示対象物１４の表面（透明板５６と密着していない面３６）には、第１画像１２が形成されている。また、透明／半透明部材６６の表面（透明板５６と密着していない面３８）には、当該表面側に設置されたプロジェクタ１８からの投写を受けて第２画像１６が表示されており、第２画像１６は、第１画像１２に位置合わせされている。なお、第１画像１２および第２画像１６を、透明板５６と密着している面に形成（表示）するようにしてもよい。
【０１７６】
これにより、第１画像１２と第２画像１６とが合成された非常にハイコントラストな合成画像３４を視点６４から見ることが可能となる。さらに、透明板５６が、第１画像１２が印刷される面３６を含む表示対象物１４と、第２画像１６が表示される面３８を含む透明／半透明部材６６との支持体としての役割を持つため、表示（設置）の自由度が増す。その他の構成および表示方法については、第２の実施の形態で説明した内容を適用することができる。
なお、本実施の形態は、例えば、特開２００５−２０１９６４号公報に記載されているサインスタンドに適用することが可能である。
【０１７７】
以上、複数の実施の形態について説明を行ったが、上述した実施の形態に限定されるものではなく、さらに種々の変形が可能である。
【図面の簡単な説明】
【０１７８】
【図１】第１の実施の形態に係る表示システムを示すブロック図である。
【図２】第１の実施の形態に係る位置合わせの具体的事例を説明するための説明図である。
【図３】第１の実施の形態に係る位置合わせの具体的事例を説明するための説明図である。
【図４】第１の実施の形態に係る位置合わせの具体的事例を説明するための説明図である。
【図５】第１の実施の形態に係る位置合わせの具体的事例を説明するための説明図である。
【図６】第１の実施の形態に係る表示方法を示すフローチャートである。
【図７】第１の実施の形態に係る第１および第２画像の構成を示す図である。
【図８】第１の実施の形態に係る第１画像と第２画像と合成画像とのコントラストを示す図である。
【図９】第１の実施の形態に係る第１画像と第２画像と合成画像とのコントラストを示す図である。
【図１０】第１の実施の形態に係る第１画像と第２画像と合成画像とのコントラストを示す図である。
【図１１】第１の実施の形態に係る第１画像と第２画像と合成画像とのコントラストを示す図である。
【図１２】紙の分光反射率を示すグラフである。
【図１３】第１の実施の形態に係るプロジェクタから投写される投写光の分光特性を示すグラフである。
【図１４】第１の実施の形態に係るプロジェクタから投写される投写光の分光特性を示すグラフである。
【図１５】第１の実施の形態に係るプロジェクタから投写される投写光の分光特性を示すグラフである。
【図１６】色域を説明するためのｘｙ色度図である。
【図１７】第２の実施の形態に係る表示システムを示すブロック図である。
【図１８】第２の実施の形態に係る表示方法を示すフローチャートである。
【図１９】第３の実施の形態に係る表示システムを示すブロック図である。
【図２０】第４の実施の形態に係る表示システムを示す図である。
【図２１】第５の実施の形態に係る表示システムを示す図である。
【符号の説明】
【０１７９】
２，４，６，８，１０…表示システム  １２…第１画像  １４…表示対象物  １６…第２画像  １８…プロジェクタ  ２０…第１画像情報  ２２…プロジェクタ画像情報Ｉ／Ｆ  ２４…プロジェクタ画像変換／画像処理部  ２６…投写表示部  ２８…投写領域位置合わせ部  ３０…基本画像情報  ３２…第２画像情報  ３４…合成画像  ３６，３８…面  ４０，４２…視点  ４４…印刷装置  ４６…プリンタ画像情報Ｉ／Ｆ  ４８…プリンタ画像変換／画像処理部  ５０…印刷部  ５２…第３画像情報  ５４…発光表示装置  ５６…透明板  ５８…視点  ６０…第２画像  ６２…表示面  ６４…視点  ６６…透明／半透明部材。
【図１】
2008026879.tif 000003
【図６】
2008026879.tif 000004
【図７】
2008026879.tif 000005
【図１２】
2008026879.tif 000006
【図１３】
2008026879.tif 000007
【図１４】
2008026879.tif 000008
【図１５】
2008026879.tif 000009
【図１６】
2008026879.tif 000010
【図１７】
2008026879.tif 000011
【図１８】
2008026879.tif 000012
【図１９】
2008026879.tif 000013
【図２０】
2008026879.tif 000014
【図２】
2008026879.tif 000015
【図３】
2008026879.tif 000016
【図４】
2008026879.tif 000017
【図５】
2008026879.tif 000018
【図８】
2008026879.tif 000019
【図９】
2008026879.tif 000020
【図１０】
2008026879.tif 000021
【図１１】
2008026879.tif 000022
【図２１】
2008026879.tif 000023